(57)【特許請求の範囲】
【請求項１】
浴室ユニットの支持脚本体の下端に設けられた支持プレートを床面に固定する浴室ユニットの支持脚固定方法であって、
前記支持プレートは、その周縁部に上方に向かうテーパ部を備えるとともに、このテーパ部を含む位置に前記支持脚本体を中心にして放射状に、かつ周方向に均等に複数個の孔が穿設されたものであり、この支持プレート上に接着剤を供給して、当該支持プレートと前記床面とを接着固定することを特徴とする浴室ユニットの支持脚固定方法。
【発明の詳細な説明】
【０００１】
【発明の属する技術分野】
本発明は、浴室ユニットの支持脚固定方法に関する。
【０００２】
【従来の技術】
浴室ユニットとして、たとえば、実開平３−１１９０６９号公報に開示されているように、防水パンや浴槽等が、支持脚を介して土間、床等あるいは土間や床面から所定の高さまで立ち上がるように設けられた布基礎やブロックで形成された支持台などの受面によって受けられ、防水パンの底や浴槽の底との間に配管空間が確保されるようになっているものがある。すなわち、支持脚は、レベル調整自在な支持脚本体の上端が防水パンや浴槽等の底に固定され、支持脚本体の下端に設けられた円板状をした支持プレートを受面に受けられた状態で防水パンや浴槽等を支持するようになっている。
【０００３】
また、このように受面に受けられた支持脚は、通常、図４に示すように、支持脚１００の支持脚本体１０１下端に設けられた円板状をした支持プレート１０２の周縁を接着剤４００を介して受面２００に固定するようにしたり、あるいは、図５に示すように、支持プレート１０２の外径より内径が大きい有底筒状の支持プレート１０２の受け部材３００を予め釘３０１等によって受面２００に固定したのち、この受け部材３００内に支持プレート１０２が嵌まり込むように挿入する。そして、受け部材３００内に接着剤４００を充填し、受面２００に固定するようになっている。
【０００４】
しかし、前者の固定方法では、接着剤が硬化するまでの間に接着剤が流れてしまい、十分な接着効果を発揮できない恐れがあるとともに、パン部材を支持脚１００を介して受面２００上に設置したのち、パン部材に設けられた作業用孔から作業者が床下に手や体を差し入れて接着剤を供給するような場合、支持プレート１０２の周縁部に均等に接着剤を供給することが難しいという問題がある。一方、後者の固定方法では、接着剤４００が流れるという問題はないが、支持脚１００を固定するにあたり、まず、受け部材３００を固定しなければならず、作業工程が煩雑である。
【０００５】
【発明が解決しようとする課題】
本発明は、このような事情に鑑みて、容易にかつ強固に支持ブレート部を固定面に固定することができる浴室ユニットの支持脚固定方法を提供することを目的としている。
【０００６】
【課題を解決するための手段】
請求項１記載の本発明は、浴室ユニットの支持脚本体の下端に設けられた支持プレートを床面に固定する浴室ユニットの支持脚固定方法であって、前記支持プレートは、その周縁部に上方に向かうテーパ部を備えるとともに、このテーパ部を含む位置に前記支持脚本体を中心にして放射状に、かつ周方向に均等に複数個の孔が穿設されたものであり、この支持プレート上に接着剤を供給して、当該支持プレートと前記床面とを接着固定することを特徴とする浴室ユニットの支持脚固定方法である。
【０００７】
本発明において、接着剤としては、合成樹脂接着剤を使用することができる。
【０００８】
【発明の実施の形態】
以下に、本発明の実施の形態を、図面を参照しつつ詳しく説明する。
図１および図２は、本発明にて使用される浴室ユニットの支持脚の１つの実施の形態をあらわしている。
【０００９】
図１および図２に示すように、この支持脚１は、支持脚本体２と、支持プレート３とを備えている。
支持脚本体２は、ネジ１１がその周面に切られていて、図示していないが、浴槽パン、洗い場パン、浴槽受部と洗い場床部とが一体になった防水パンあるいは浴槽の底に設けられたネジ筒に螺合されるようになっている。そして、回転させることによって螺合度合いが変わり、浴槽パン、洗い場パン、防水パンあるいは浴槽の高さを変えることができるようになっている。
【００１０】
支持プレート３は、平板部３１と、この平板部３１の周縁部から上方に立ち上がるように設けられたテーパ部３２とを備えており、平面視略円板状をしている。
平板部３１は、その中心位置にナット３３が溶接固定されていて、このナット３３に支持脚本体２の下端が螺着されている。
【００１１】
また、支持プレート３は、平板部３１からテーパ部３２にかけて接着剤が通過可能な４つの孔３４が穿設されている。
４つの孔３４は、支持脚本体２を中心にして放射状、かつ、周方向に均等に設けられている。
【００１２】
この支持脚１は、以上のように、支持プレート３に４つの孔３４が設けられているので、図３に示すように、支持脚１を所定の受部４に載置した状態で、孔３４を含む部分を中心にして支持プレート３上に接着剤５を供給すれば支持プレート３上に供給された接着剤５の一部が孔３４を介して受部４側に流れ込み受部４の固定面に接着硬化する。また、接着剤５の残部が支持プレート３上に残り、支持プレート３上で硬化し、支持プレート３が接着剤５を介して受部４に強固に接着される。
【００１３】
しかも、この支持プレート３は、支持プレート３の周縁部が上方に曲折されているので、一度に多量の接着剤５を支持プレート３上に供給しても支持プレート３の周縁から接着剤５が流れ出したりすることない。したがって、作業者が、浴槽パンなどのパン状部材に設けられた作業用開口から接着剤５の供給作業を行うような場合であっても、接着剤５の供給を誤りなく簡単に行える。
【００１４】
また、孔３４が支持プレート３の平板部３１からテーパ部３２にかけて設けられているので、支持プレート３上に供給された接着剤５が支持プレート３の裏面の孔３４が設けられていない部分にもうまく回り込み、より強固な接着状態を得ることができる。
さらに、孔３４が支持脚本体２を挟んで放射状に均等に設けられているので、支持プレート３の全周に渡って均等な接着状態を確保することができる。
【００１５】
本発明にかかる浴室ユニットの支持脚は、上記の実施の形態に限定されない。たとえば、上記の実施の形態では、支持脚１の支持脚本体２がパン部材の底に設けられたネジ筒へのネジ込み長さを変えることによって高さ調整を行うようになっているが、支持脚本体の中間位置に高さ調整手段を設けるようにしても構わない。
また、上記の実施の形態では、支持脚１がパン部材あるいは浴槽と別体になっていたが、一体に設けられていても構わない。
【００１６】
【発明の効果】
本発明にかかる浴室ユニットの支持脚固定方法は、浴室ユニットの支持脚本体の下端に設けられる支持プレートとして、その周縁部に上方に向かうテーパ部を備えるとともに、このテーパ部を含む位置に支持脚本体を中心にして放射状に、かつ周方向に均等に複数個の孔が穿設されたものを用い、この支持プレート上に接着剤を供給して、支持プレートと床面とを接着固定する方法であるので、容易にかつ強固に支持ブレート部を固定面に接着剤を介して固定することができる。
【００１７】
すなわち、支持プレートがその周縁部に上方に向かうテーパ部を備え、かつ、このテーパ部を含む位置に、複数個の孔が穿設されているので、一度に多量の接着剤を支持プレート上に供給しても支持プレートの周縁から接着剤が流れ出したりすることがない。したがって、作業者が、浴槽パンなどのパン状部材に設けられた作業用開口から接着剤の供給作業を行うような場合であっても、接着剤の供給を誤りなく簡単に行えるとともに、支持プレート上に供給された接着剤が支持プレートの裏面の孔が設けられていない部分にもうまく回り込み、より強固な接着状態を得ることができる。
さらに、支持脚本体を中心にして、複数個の孔が放射状、かつ、周方向に均等に穿設されているので、支持プレートの全周に渡って均等な接着状態を確保することができる。
【図面の簡単な説明】
【図１】本発明にて使用される浴室ユニットの支持脚の１つの実施の形態をあらわす平面図である。
【図２】図１の支持脚の正面図である。
【図３】図１の支持脚の固定作業を説明する断面図である。
【図４】従来の支持脚の固定構造を説明する断面図である。
【図５】従来の支持脚の他の固定構造を説明する断面図である。
【符号の説明】
１  支持脚
２  支持脚本体
３  支持プレート
３１  平板部
３２  テーパ部
３４  孔
４  受面
５  接着剤
【図１】
0004291490.tif 000002
【図２】
0004291490.tif 000003
【図３】
0004291490.tif 000004
【図４】
0004291490.tif 000005
【図５】
0004291490.tif 000006